(57)【要約】【課題】コンタクトが常時剥き出しとならず、小型で多極のリセプタクルを提供する。【解決手段】絶縁性のソケットハウジング１は、デュアルインライン型の雄コンタクトを有するプラグが挿入される開口部１１を形成している。複数の雌コンタクト２は、開口部１１の内壁に対向する形で一対に並列配置されており、前記プラグが挿入されると前記雄コンタクトと接触する。前記プラグが挿入されていないときは、シャッター３は開口部１１前面を塞ぎ、前記プラグが挿入されると前記プラグに押されてシャッター３は挿入方向に後退する。圧縮コイルばね５はシャッター３を開口部前面１１に進出する力を付勢している。シェル４はソケットハウジング１を外被し、ソケットハウジング１をプリント基板に着座させる。【選択図】      図１
2004259554.tif 000002
【特許請求の範囲】
【請求項１】
デュアルインライン型の雄コンタクトを有するプラグが挿入されるための開口部を形成している絶縁性のソケットハウジングと、
前記開口部の内壁に対向して一対に並列に配置されており、前記プラグが挿入されると前記雄コンタクトと接触する複数の雌コンタクトと、
前記プラグが挿入されていないときは前記開口部前面を塞ぎ、前記プラグが挿入されると前記プラグに押されて挿入方向に後退する絶縁性のシャッターと、を備えていることを特徴とするリセプタクル。
【請求項２】
請求項１記載のリセプタクルにおいて、
前記プラグを前記開口部から抜去したときは前記シャッターを前記開口部前面に進出する力を付勢している弾性部材を備えていることを特徴とするリセプタクル。
【請求項３】
請求項１または２のいずれかに記載のリセプタクルにおいて、
前記複数の雌コンタクトにおける各々の縁部は前記ソケットハウジングから延出しており、当該雌コンタクトの各々の縁端部はプリント基板に着座可能としていることを特徴とするリセプタクル。
【請求項４】
請求項１から３のいずれかに記載のリセプタクルにおいて、
前記ソケットハウジングはシェルに外被されており、当該シェルは前記ソケットハウジングを前記プリント基板に着座するためのハンダ溶着性タブが各々相反するように一対に横設されていることを特徴とするリセプタクル。
【請求項５】
請求項１から３のいずれかに記載のリセプタクルにおいて、
金属薄板の前記シェルは、前記ソケットハウジングを外被すると共に前記開口部の縁部から前記シェルの一部がコの字状に折れ曲がり前記開口部の内壁に延出して前記開口部前面を部分的に覆っていること特徴とするリセプタクル。
【請求項６】
請求項１から５のいずれかに記載のリセプタクルにおいて、
小型電子機器のインターフェースコネクタとして適合することを特徴とするリセプタクル。
【請求項７】
請求項１から６のいずれかに記載のリセプタクルにおいて、
前記複数の雌コンタクトは０．５ｍｍの等間隔で並列に配置されていることを特徴とするリセプタクル。
【請求項８】
相手側リセプタクルに挿入されるためのヘッダー部はフレーム部から突出しており、前記ヘッダー部と前記フレーム部とが一体に形成されている絶縁性のプラグハウジングと、屈曲板ばねによる雄コンタクトであって、前記ヘッダー部に形成されている取り付け板部を間にして前記屈曲板ばねにおける各々の屈曲頂部が相反するように一対に並列配置されている複数の雄コンタクトと、前記ヘッダー部が相手側リセプタクルに挿入されていないときは前記複数の雄コンタクトをその両側から包囲しており、前記ヘッダー部が相手側リセプタクルに挿入されているときは相手側リセプタクルに押されて前記ヘッダー部から前記フレーム部に後退して前記複数の雄コンタクトを露出させるプラグシャッターと、を備えているプラグを請求項１から７のいずれかに記載のリセプタクルに接続する接続方法であって、
当該プラグを当該リセプタクルの前記開口部に挿入する過程では、前記プラグシャッターは前記開口部における縁部に当接して後退し、
当該プラグを当該リセプタクルから抜去する過程では、前記プラグシャッターは前記開口部における縁部に当接しながら前進することを特徴とするプラグとリセプタクルの接続方法。
【請求項９】
請求項１から７のいずれかに記載のリセプタクルに接続され得ることを特徴とするプラグ。
【発明の詳細な説明】
【０００１】
【発明の属する技術分野】
本発明は、電気接続用のリセプタクルに関する。
【０００２】
【従来の技術】
近年の電子機器、例えば、携帯電話機、マイクロビデオカメラあるいは携帯情報端末等はディスクトップパソコンとデータを送受信できるようになっている。このような小型の電子機器には、データを送受信するためのインターフェースコネクタ（又はＩ／Ｏコネクタ）となるリセプタクルが実装されている。
【０００３】
前記リセプタクルをもつ電子機器は、多くの場合、クレードル（Ｃｒａｄｌｅ）という接続台（ドッキング・ステーションとも呼ばれる）を利用している。
【０００４】
クレードルとディスクトップパソコンはケーブルで接続され、携帯情報ツールの外面にはリセプタクルが実装され、クレードルにはプラグが実装され、携帯情報ツール側のリセプタクルとクレードル側のプラグが接続されることで、携帯情報ツールとディスクトップパソコン間で速く確実にデータを転送できる。クレードルの最も単純なものには携帯電話機用の充電器を挙げることができる。
【０００５】
電子機器側のコネクタ（リセプタクル）とクレードル側のコネクタ（プラグ）が接続されていないときは、電子機器側のリセプタクルはコンタクトが剥き出しとなるので、例えば、リセプタクルにキャップあるいはカバーを被せ、コンタクトに塵芥が付着したりあるいはコンタクトに手が触れることを防止している。
【０００６】
また、リセプタクルにプラグが挿入されていない場合にはシャッターが閉じてコンタクトの上部を蔽うことにより防塵し、プラグが挿入されるとプラグの付勢によりシャッターが開いて、プラグとリセプタクルの接触を可能とする多芯コネクタが発明されている（例えば、特許文献１）。
【０００７】
【特許文献１】
特開２００１−３５１７４７号公報
【０００８】
【発明が解決しようとする課題】
しかしながら、リセプタクルにキャップあるいはカバーを設けることは、リセプタクルにプラグを接続する度にキャップあるいはカバーを外すことになり面倒な手間が増える。更には、キャップあるいはカバーを紛失することなども考えられる。
【０００９】
また、前述のクレードルに搭載されるプラグは、一般的にはコンタクトが２列になっている多極のデュアルインライン（ｄｕａｌ  ｉｎ−ｌｉｎｅ）コネクタであり、デュアルインラインプラグはデュアルインラインのコンタクトに直接手が触れないようコンタクトを絶縁性の固定立設壁で包囲している。デュアルインラインプラグはいわゆるフォーウォール形の壁付（Ｓｈｒｏｕｄｅｄ）になっている。
【００１０】
しかし、クレードルを必要とするような電子機器（例えば、マイクロビデオカメラ）はダウンサイジングが加速しており、当然、前述のような電子機器に取り付けられるデュアルインラインリセプタクルも小型化が要求されている。例えば、クレードルに取り付けられるデュアルインラインプラグは、コンタクトを包囲している絶縁性の立設壁を形成する余地がほとんど無いもの（いわゆる、壁なし形ヘッダー）となってきている。
【００１１】
特許文献１で提示された防塵型の多芯コネクタはロック機構を設けており、更に、この多芯コネクタで使用されるシャッターは、複数のシャッター部品から構成される折りたたみ式開閉シャッターであり、外形が必然的に大きくなり、現在要求されるインターフェース用のマイクロリセプタクルには適合しないものとなっている。
【００１２】
本発明は、上述した課題を解決すべく、コンタクトが常時剥き出しとならず、小型で多極のリセプタクルを提供することを目的とする。
【００１３】
【課題を解決するための手段】
発明者は、上記目的を満たすため、以下のような新たなリセプタクルを発明した。
【００１４】
（１）  デュアルインライン型の雄コンタクトを有するプラグが挿入されるための開口部を形成している絶縁性のソケットハウジングと、前記開口部の内壁に対向して一対に並列に配置されており、前記プラグが挿入されると前記雄コンタクトと接触する複数の雌コンタクトと、前記プラグが挿入されていないときは前記開口部前面を塞ぎ、前記プラグが挿入されると前記プラグに押されて挿入方向に後退する絶縁性のシャッターと、を備えていることを特徴とするリセプタクル。
【００１５】
（１）記載の発明によれば、リセプタクルをプラグに接続していないときは、リセプタクルの開口部をシャッターが塞ぐことにより防塵し、リセプタクルにプラグを挿入すると前記プラグに押されてシャッターが後退し、プラグの雄コンタクトとリセプタクルの雌コンタクトが接触できる。
【００１６】
（２）  （１）記載のリセプタクルにおいて、前記プラグを前記開口部から抜去したときは前記シャッターを前記開口部前面に進出する力を付勢している弾性部材を備えていることを特徴とするリセプタクル。
【００１７】
（２）記載の発明によれば、プラグをリセプタクルに挿入した状態から、プラグを抜去すると、弾性部材の付勢力でシャッターが開口部前面を塞ぐことによりコンタクトを外部から遮断しているので、塵芥や手の接触からコンタクトを保護できる。なお、前記弾性部材は例えば、圧縮コイルばねである。
【００１８】
（３）  （１）または（２）のいずれかに記載のリセプタクルにおいて、前記複数の雌コンタクトにおける各々の縁部は前記ソケットハウジングから延出しており、当該雌コンタクトの各々の縁端部はプリント基板に着座可能としていることを特徴とするリセプタクル。
【００１９】
（３）記載の発明によれば、複数の雌コンタクトにおける当該各々の縁部をプリント基板の座パターンにハンダ付けなどで表面実装可能となる。
【００２０】
（４）  （１）から（３）のいずれかに記載のリセプタクルにおいて、前記ソケットハウジングはシェルに外被されており、当該シェルは前記ソケットハウジングを前記プリント基板に着座するためのハンダ溶着性タブが各々相反するように一対に横設されていることを特徴とするリセプタクル。
【００２１】
（４）記載の発明によれば、ソケットハウジングを保持しているシェルをプリント基板にハンダ付けで溶着して固定し、プラグの挿抜力に耐えられるよう補強できる。
【００２２】
（５）  （１）から（３）のいずれかに記載のリセプタクルにおいて、金属薄板の前記シェルは、前記ソケットハウジングを外被すると共に前記開口部の縁部から前記シェルの一部がコの字状に折れ曲がり前記開口部の内壁に延出して前記開口部前面を部分的に覆っていること特徴とするリセプタクル。
【００２３】
（５）記載の発明によれば、金属薄板のシェルでソケットハウジングを外被することにより、ソケットハウジングを構造的に補強しており、更にはこのリセプタクルを外被してシールドしている。また、前記シェルは、その一部が開口部前面を部分的に覆っているので、相手側プラグにおけるヘッダー部が金属板のシェルで部分的に外被されることによって、相手側プラグとこのリセプタクルが挿入状態において、相手側プラグのシェルと、このリセプタクルのシェルとが部分的に接触することにより相手側プラグとこのリセプタクルが一体でシールドされることになる。
【００２４】
（６）  （１）から（５）のいずれかに記載のリセプタクルにおいて、小型電子機器のインターフェースコネクタとして適合することを特徴とするリセプタクル。
【００２５】
（７）  （１）から（６）のいずれかに記載のリセプタクルにおいて、前記複数の雌コンタクトは０．５ｍｍの等間隔で並列に配置されていることを特徴とするリセプタクル。
【００２６】
（８）  相手側リセプタクルに挿入されるためのヘッダー部はフレーム部から突出しており、前記ヘッダー部と前記フレーム部とが一体に形成されている絶縁性のプラグハウジングと、屈曲板ばねによる雄コンタクトであって、前記ヘッダー部に形成されている取り付け板部を間にして前記屈曲板ばねにおける各々の屈曲頂部が相反するように一対に並列配置されている複数の雄コンタクトと、前記ヘッダー部が相手側リセプタクルに挿入されていないときは前記複数の雄コンタクトをその両側から包囲しており、前記ヘッダー部が相手側リセプタクルに挿入されているときは相手側リセプタクルに押されて前記ヘッダー部から前記フレーム部に後退して前記複数の雄コンタクトを露出させるプラグシャッターと、を備えているプラグを（１）から（７）のいずれかに記載のリセプタクルに接続する接続方法であって、当該プラグを当該リセプタクルの前記開口部に挿入する過程では、前記プラグシャッターは前記開口部における縁部に当接して後退し、当該プラグを当該リセプタクルから抜去する過程では、前記プラグシャッターは前記開口部における縁部に当接しながら前進することを特徴とするプラグとリセプタクルの接続方法。
【００２７】
（８）記載の発明によれば、このプラグをリセプタクルに挿入する過程では、プラグシャッターが開口部の縁部に押されてプラグシャッターが相対的に後退して雄コンタクトがリセプタクルの雌コンタクトと接触する。このリセプタクルからプラグを抜去する過程では、プラグシャッターが進出して雄コンタクトを包囲して防塵あるいは、雄コンタクトに手などが接触するのを防止する。すなわち、意図的にシャッターあるいはプラグシャッターを押し下げない限り、リセプタクルおよびプラグはそれぞれのシャッターあるいはプラグシャッターで雄コンタクトあるいは雌コンタクトを塞いでいる。
【００２８】
（９）  （１）から（７）のいずれかに記載のセプタクルに接続され得ることを特徴とするプラグ。
【００２９】
「絶縁性のソケットハウジング」とは電気的に絶縁された材質で形成されたソケットハウジングと考えてよい。「絶縁性のソケットハウジング」は、雌コンタクトを電気絶縁体で保持する機能を有しているとしてよい。
【００３０】
「絶縁性のソケットハウジング」は、電気絶縁体の合成樹脂材で一体に成型加工されていてもよい。また、合成樹脂材で一体に成形された後、部分的に機械加工されることを妨げない。更に、全てを一体に削り出し加工することを妨げない。
【００３１】
この発明における「雌コンタクト」は、横断面が長方形のばね性のないコンタクト、いわゆる「ブレードコンタクト（Ｂｌａｄｅ  Ｃｏｎｔａｃｔ）」であってよく、「雌コンタクト」を幅０．３ｍｍ程度で成形すれば、「雌コンタクト」を０．５ｍｍ程度の挟ピッチで配列することを可能とする。
【００３２】
「雌コンタクト」の極数は、インターフェースコネクタとして使用されるのであれば、４０極は配列される。すなわち、片側２０個まで「コンタクト」が配列可能であり、コネクタの用途に対応して最低片側１３個（２６極）まで配列可能である。
【００３３】
「絶縁性のシャッター」とは電気的に絶縁された材質で形成されたシャッターと考えてよい。「絶縁性のシャッター」は、雌コンタクトと接触しても短絡させない機能を有しているとしてよい。このリセプタクルが相手側プラグに接続されているとき以外は、「シャッター」は開口部前面を塞ぎコンタクトを防塵していると考えてよい。
【００３４】
「シャッター」は、シャッターの後面両翼に配置された一対の弾性体（圧縮コイルばね）によって開口部前面側に移動する力を付勢されていると考えてよく、「シャッター」は開口部に相手側プラグが挿入されると、相手側プラグに押されて、「シャッター」は開口部内を摺動して後退すると考えてよい。
【００３５】
板厚０．２ｍｍ程度の金属薄板のシェルは、「絶縁性のソケットハウジング」を外被することによってこのリセプタクルを構造的にも補強しており、更に、前記シェルがプリント基板に溶着されることにより、このリセプタクルを補強している。
【００３６】
このような簡易な構成のリセプタクルは低背化を図ることができ、小型電子機器への実装を可能とし、ひいては、相手側プラグリセプタクルの小型化を可能とするものである。
【００３７】
【発明の実施の形態】
以下に、本発明の実施の形態について図面に基づいて説明する。
【００３８】
図１は、本発明による一実施の形態におけるリセプタクルの構成を示す斜視分解組立図である。図１における実施の形態では、リセプタクル１０は、ソケットハウジング１と、雌コンタクト２と、シャッター３と、シェル４と、圧縮コイルばね５を備えている。
【００３９】
図１の実施の形態においては、絶縁性のソケットハウジング１は、後述するプラグが挿入される横断面矩形の開口部１１が形成されている。そして、開口部１１の内壁に対向する形で一対に複数の雌コンタクト２が並列配置されている。
【００４０】
開口部１１には弾性部材となる圧縮コイルばね５を介してシャッター３が内包される。ソケットハウジング１の上面には一対のラッチ溝１２Ａ及び１２Ｂが形成されており、ラッチ溝１２Ａ及び１２Ｂは後述するシェル４における一対のラッチ４１Ａ及び４１Ｂが係止する。
【００４１】
シェル４は一枚の金属板から箱型に折り曲げ成形されている。シェル４の内側断面積はソケットハウジング１の外側断面積より僅かに大きく形成されており、シェル４はソケットハウジング１の開口部１１前面側から挿入する形で組み立てられる。シェル４の上面にはコの字状に切り抜かれることにより形成された一対のラッチ４１Ａ及び４１Ｂを有している。ラッチ４１Ａ及び４１Ｂは内側に僅かに折れ曲がっている。
【００４２】
また、シェル４の前面開口部４０の両翼は、シェル４の外壁から前面に更に内壁側へと断面コの字状に折り曲げられた一対のベゼル４２Ａ及び４２Ｂが形成されている。ベゼル４２Ａ及び４２Ｂは、ソケットハウジング１における開口部１１の幅方向の縦枠１１Ａ及び１１Ｂに密着するように組み立てられる。
【００４３】
また、シェル４の上面には、シェル４の上面の一部が突出してさらにコの字に折れ曲がり内部に延出している一対の接触辺４２Ｃ及び４２Ｄを形成している。同様に、シェル４の下面には、シェル４の下面の一部が突出してさらにコの字に折れ曲がり内部に延出している一対の接触辺４２Ｅ及び４２Ｆを形成している。
【００４４】
ソケットハウジング１とシェル４が組み立てられた状態においては、これら接触辺４２Ｃ〜４２Ｆは、ソケットハウジング１の開口部１１の縁部からシェル４の一部がコの字状に折れ曲がり開口部１１の内壁に延出して開口部１１前面を部分的に覆うことになる。
【００４５】
更に、シェル４の外壁下部には相反するようにタブ４３Ａ及び４３Ｂが横設している。なお、タブ４３Ｂは図１では図示されていない。
【００４６】
引き続き、実施の形態におけるリセプタクル１０の構成を説明する。図２はリセプタクル１０の組立図であり、図２（ａ）は平面図、図２（ｂ）は正面図、図２（ｃ）は側面図、図２（ｄ）は、図２（ｂ）のＸ−Ｘ断面図である。
【００４７】
また、図３（ａ）は、図２（ｄ）のＹ−Ｙ断面図、図３（ｂ）は図２（ａ）のＺ−Ｚ断面図である。
【００４８】
図３（ａ）の実施の形態に示されるように、ソケットハウジング１の開口部１１内壁上面に配置されている長コンタクト２Ａと、開口部１１内壁下面に配置されている短コンタクト２Ｂの２種類を雌コンタクト２は有している。長コンタクト２Ａ及び短コンタクト２Ｂのそれぞれの平坦部は対向するように開口部１１内壁に固定されている。
【００４９】
そして、長コンタクト２Ａの縁部はソケットハウジング１から延出しており、２段階に直角に屈曲した後、最終縁部は図示されていないプリント基板に着座可能となっている。同様に、短コンタクト２Ｂの縁部はソケットハウジング１から延出しており、直角に屈曲した後、最終縁部は前記プリント基板に着座可能となっている。
【００５０】
なお、この実施の形態における長コンタクト２Ａと短コンタクト２Ｂの区別は、ソケットハウジング１からの延出長さによるものであり、上段に長コンタクト２Ａが配置され、下段に短コンタクト２Ｂが配置されている。この発明は、０．５ｍｍ程度の狭ピッチで雌コンタクト２を配列したので、雌コンタクト２をプリント基板へ表面実装する固定方法を採用した。
【００５１】
長コンタクト２Ａと短コンタクト２Ｂは前述のようにコンタクトが２列になっている多極のデュアルインラインを形成している。
【００５２】
次に、シャッター３について説明する。図２（ｄ）に示されるように、絶縁性のシャッター３は開口部１１内に組み込まれており、シャッター３の幅方向は開口部１１の幅方向の内壁に案内される。また、図３（ａ）に示されるように、シャッター３の厚さ方向は開口部１１の上下内壁に案内される。
【００５３】
そして、図２（ｄ）に示されるように、弾性部材となる圧縮コイルばね５は、開口部１１内に一対配置されており、圧縮コイルばね５の一端はシャッター３内の突起３２に係止しており、圧縮コイルばね５の他端は開口部１１後壁に係止している。
【００５４】
つまり、一対の圧縮コイルばね５は、シャッター３を開口部１１前面に進出する力を付勢している。言い換えれば、圧縮コイルばね５は、プラグが挿入されていないときは開口部１１前面を塞ぐ力を付勢している。なお、プラグが挿入されていないときは、一対のベゼル４２Ａ及び４２Ｂによって、シャッター３はその進出を停止している。
【００５５】
さらに、一対のベゼル４２Ａ及び４２Ｂは、相手側プラグが挿入されるときに、開口部１１の幅方向縁部が磨耗あるいは破損することを防止している。
【００５６】
また、図２においては、図１に示されるシェル４における縁部は、プリント基板に着座するためのハンダ溶着性タブ４３Ａとタブ４３Ｂが各々相反するように一対に横設されている。
【００５７】
図４は、リセプタクル１０が載置されるプリント基板の上面に形成されるパターンレイアウト図である。図４における実施の形態は図１に示されたリセプタクル１０に対応したパターンレイアウト図である。
【００５８】
図４においては、図１に示されるシェル４におけるタブ４３Ａ及び４３Ｂは、座パターン６Ａ及び６Ｂにハンダ付けにより溶着される。一方、座パターン群６０は、図２に示される複数の長コンタクト２Ａ及び短コンタクト２Ｂにおける各々の最終縁部がハンダ付けにより溶着される。このようにして、リセプタクル１０は接続対象物となるプリント基板に表面実装デバイスの如くハンダ付けにより溶着される。
【００５９】
次に、本発明の作用を説明する。図５は、リセプタクル１０の外観図であり、リセプタクル１０を相手側プラグに挿入していない状態図である。図６は、リセプタクル１０の外観図であり、リセプタクル１０を相手側プラグに挿入したときの状態図である。
【００６０】
また、図７は、図１に示されるリセプタクル１０に接続されるプラグにおける一実施形態による斜視外観図である。図７において、プラグ１００は、絶縁性のプラグハウジング１０Ａと複数の雄コンタクト２０と絶縁性のプラグシャッター３０を備えている。図１に示されるリセプタクル１０に挿入されるためのヘッダー部１Ａはフレーム部１Ｂから突出しており、ヘッダー部１Ａとフレーム部１Ｂとが一体に形成されている。
【００６１】
図８は図７の状態からプラグシャッター３０がフレーム部１Ｂに埋没した状態図である。図８において、複数の雄コンタクト２０がヘッダー部１Ａに保持されている。雄コンタクト２０は、ヘッダー部１Ａにデュアルインライン型に保持されている。
【００６２】
フレーム部１Ｂには図示されない圧縮コイルばねが内蔵されており、当該圧縮コイルばねは、プラグシャッター３０をヘッダー部１Ａ側に押し上げる力を付勢している。すなわち、図７に示されるように、プラグシャッター３０におけるシャッター部３１が複数の雄コンタクト２０を包囲するように当該圧縮コイルばねは作用している。
【００６３】
図９はリセプタクル１０とプラグ１００を対向配置した図である。図９において、プラグ１００をリセプタクル１０に挿入していない状態においては、リセプタクル１０はシャッター３が開口部１１前面を塞いでいる。一方、プラグ１００は雄コンタクト２０をプラグシャッター３０が包囲している。
【００６４】
なお、図９において、複数の雄コンタクト２０は一対に並列に配置されている屈曲板ばねにおける各々の屈曲頂部２１が相反するようにヘッダー部１Ａに保持されている。
【００６５】
図９の状態から、プラグ１００のヘッダー部１Ａをリセプタクル１０の開口部１１に挿入する過程においては、プラグシャッター３０は開口部１１における縁部に当接して相対的に後退する。一方、シャッター３はヘッダー部１Ａに押されて開口部１１内に後退する。
【００６６】
プラグ１００のヘッダー部１Ａをリセプタクル１０の開口部１１に完全に挿入した状態は、リセプタクル１０は図６の状態であり、プラグ１００は図８の状態となっており、雄コンタクト２０と雌コンタクト２が接触可能状態になる。
【００６７】
図１０は、プラグ１００のヘッダー部１Ａがリセプタクル１０の開口部１１に挿入された状態の断面図である。図１０において、リセプタクル１０は図３（ｂ）の断面図と同じであり、プラグ１００は図７における立柱１３Ａでの断面図である。
【００６８】
図１０において、プラグ１００におけるフレーム部１Ｂはプラグシェルで外被されており、前記プラグシェルは立柱１３Ａ及び立柱１３Ｂ（図７参照）を部分的に外被している。
【００６９】
図１０において、前記プラグシェルはリセプタクル１０における接触辺４２Ｃ及び４２Ｅと接触している。また、図示されてはいないが、前記プラグシェルはリセプタクル１０における接触辺４２Ｃ及び４２Ｆと接触している。
【００７０】
このように、シェル４は、接触辺４２Ｃ〜４２Ｆが開口部１１前面を部分的に覆っているので、相手側プラグ１００におけるヘッダー部１Ａが金属板のシェルで部分的に外被されることによって、相手側プラグ１００とリセプタクル１０が挿入状態において、相手側プラグ１００のシェルと、リセプタクル１０のシェル４とが部分的に接触することにより相手側プラグ１００とリセプタクル１０が一体でシールドされることになる。
【００７１】
図８の実施例においては、プラグ１００の横幅Ｗ１は１９．６ｍｍ、奥行Ｄ１は４．１ｍｍ、高さＨ１は９．５ｍｍである。また、プラグ１００の突出部の横幅Ｗ２は１４．７ｍｍ、奥行Ｄ２は２．４ｍｍ、高さＨ２は３．２ｍｍである。雄コンタクト２０のピッチは０．５ｍｍであり、極数は４２極であるが、キー溝１５を有するため２極は使用不可能（接続不可能）となり、実質極数は４０極である。
【００７２】
一方、図５の実施例においては、リセプタクル１０の横幅Ｗ３は１７．４ｍｍ、奥行Ｄ３は４．７ｍｍ、高さＨ３は４．１ｍｍである。雌コンタクト２（図１参照）のピッチは０．５ｍｍであり、極数は４２極であるが、キーを有するため２極は使用不可能（接続不可能）となり、実質極数は４０極である。このように、小型で多極のリセプタクルは小型電子機器のインターフェースコネクタとして適合する。
【００７３】
【発明の効果】
本発明によるリセプタクルは、相手側プラグに接続されないときは、雌コンタクトを内設する開口部前面をシャッターで塞ぐので、雌コンタクトに塵芥が付着することを防止できる。
【００７４】
そして、リセプタクルに相手側プラグを接続したきは、前記シャッターが相手側プラグに押されて、相手側プラグの雄コンタクトとリセプタクルの雌コンタクトが接触するようになる。
【００７５】
デュアルインライン型の雄コンタクトをその両側から覆い、進退自在である薄板のシャッターを有するプラグを、本発明によるリセプタクルで組にして使用すれば、プラグとリセプタク共に防塵対策が施される。
【図面の簡単な説明】
【図１】本発明による一実施の形態におけるリセプタクルの構成を示す斜視分解組立図である。
【図２】本発明におけるリセプタクルの組立図である。
【図３】本発明における図２の各断面図である。
【図４】本発明におけるリセプタクルが載置されるプリント基板の上面に形成されるパターンレイアウト図である。
【図５】本発明におけるリセプタクルの外観図であり、リセプタクルを相手側プラグに挿入していないときの状態図である。
【図６】本発明におけるリセプタクルの外観図であり、リセプタクルを相手側プラグに挿入したときの状態図である。
【図７】本発明におけるリセプタクルに接続されるプラグにおける一実施の形態による斜視外観図である。
【図８】本発明における図７の状態からプラグシャッターがフレーム部に埋没した状態図である。
【図９】本発明におけるリセプタクルとプラグを対向配置した図である。
【図１０】本発明におけるプラグのヘッダー部がリセプタクルの開口部に挿入された状態の断面図である。
【符号の説明】
１  ソケットハウジング
１Ａ  ヘッダー部
１Ｂ  フレーム部
２  雌コンタクト
２Ａ  長コンタクト
２Ｂ  短コンタクト
３  シャッター
４  シェル
５  圧縮コイルばね（弾性部材）
６Ａ  座パターン
６Ｂ  座パターン
１０  リセプタクル
１０Ａ  プラグハウジング
１１  開口部
１１Ａ  縦枠
１１Ｂ  縦枠
１２Ａ  ラッチ溝
１２Ｂ  ラッチ溝
１３Ａ  立柱
１３Ｂ  立柱
１５  キー溝
２０  雄コンタクト
２１  屈曲頂部
３０  プラグシャッター
３１  シャッター部
２２  縁部
３２  突起
４１Ａ  ラッチ
４１Ｂ  ラッチ
４２Ａ  ベゼル
４２Ｂ  ベゼル
４２Ｃ〜４２Ｆ  接触辺
４３Ａ  タブ
４３Ｂ  タブ
４４Ａ〜４４Ｄ  タブ
６０  座パターン群
１００  プラグ
【図１】
2004259554.tif 000003
【図２】
2004259554.tif 000004
【図３】
2004259554.tif 000005
【図４】
2004259554.tif 000006
【図５】
2004259554.tif 000007
【図６】
2004259554.tif 000008
【図７】
2004259554.tif 000009
【図８】
2004259554.tif 000010
【図９】
2004259554.tif 000011
【図１０】
2004259554.tif 000012